(57)【要約】      （修正有）【課題】簡易に乾燥することができるとともに、臭い成分の消臭効果にも優れた敷物類を提供する。【解決手段】上側シート地１１の上に上側中綿層１２及び表地１３が積層された上側積層体１と、下側シート地２１の上に下側中綿層２２及び裏地２３が積層された下側積層体２が、上側シート地２１と下側シート地２１を重ね合わせて積層されており、上側シート地１１と下側シート地２１の縁部には、上側シート地１１と下側シート地２１の間に形成される中空部３に連通する空気取入れ口が突出形成されており、上側積層体１と下側積層体２は、空気取入れ口を除いて周縁部が縫合されてなる敷物類であって、上側シート地１１は無光触媒を含有する。【選択図】図２
0003137418.tif 000002
【実用新案登録請求の範囲】
【請求項１】
上側シート地の上に上側中綿層及び表地が積層された上側積層体と、下側シート地の上に下側中綿層及び裏地が積層された下側積層体が、前記上側シート地と下側シート地を重ね合わせて積層されており、
前記上側シート地と下側シート地の縁部には、前記上側シート地と下側シート地の間に形成される中空部に連通する空気取入れ口が突出形成されており、
前記上側積層体と前記下側積層体は、前記空気取入れ口を除いて周縁部が縫合されてなる敷物類であって、
前記上側シート地は無光触媒を含有することを特徴とする敷物類。
【請求項２】
前記上側中綿層はマイナスイオン発生物質を含有する、請求項１記載の敷物類。
【請求項３】
前記上側シート地と下側シート地の間には空隙を有する樹脂製クッション材が配設されてなる、請求項１又は２記載の敷物類。
【考案の詳細な説明】
【技術分野】
【０００１】
本考案は敷物類に関し、特に、外部からの温風・送風を利用して乾燥を行なう空気取入れ口を備えた敷物類に関するものである。
【背景技術】
【０００２】
従来の布団乾燥機は、使用する際に、使用者が掛け布団と敷布団の間に送風袋を敷き詰め、使用後は折り畳んで仕舞っておかなければならないなど非常に手間のかかるものであった。
【０００３】
そこで、簡易に布団を乾燥させるため、空気取入れ口を備えた送風袋を内蔵した布団が種々提案されている（特許文献１〜３参照）。
【０００４】
【特許文献１】実開平５−５５９５０号公報
【特許文献２】特開平９−１９１９７７号公報
【特許文献３】特開平１１−３４２０５８号公報
【考案の開示】
【考案が解決しようとする課題】
【０００５】
しかし、特許文献１〜３に記載の布団では、布団の乾燥を手軽に行なうことはできるが、布団に吸収された汗その他の臭い成分を効率的に除去することができない。
【０００６】
本考案は上記事情に鑑みてなされたものであり、その目的は、簡易に乾燥することができるとともに、臭い成分の消臭効果にも優れた敷物類を提供することにある。
【課題を解決するための手段】
【０００７】
本考案者は、内部に無光触媒を含有するシート地を用いることで、布団以外の敷物類（例えば、ベッドパット、カーペット等）に対しても、広く適用できることを想到し、本考案を完成した。
【０００８】
すなわち、本考案の要旨は以下のとおりである。
〔１〕  上側シート地の上に上側中綿層及び表地が積層された上側積層体と、下側シート地の上に下側中綿層及び裏地が積層された下側積層体が、前記上側シート地と下側シート地を重ね合わせて積層されており、
前記上側シート地と下側シート地の縁部には、前記上側シート地と下側シート地の間に形成される中空部に連通する空気取入れ口が突出形成されており、
前記上側積層体と前記下側積層体は、前記空気取入れ口を除いて周縁部が縫合されてなる敷物類であって、
前記上側シート地は無光触媒を含有することを特徴とする敷物類、
〔２〕  前記上側中綿層はマイナスイオン発生物質を含有する、前記〔１〕記載の敷物類、
〔３〕  前記上側シート地と下側シート地の間には空隙を有する樹脂製クッション材が配設されてなる、前記〔１〕又は〔２〕記載の敷物類。
【考案の効果】
【０００９】
本考案によれば、市販の布団乾燥機の送風ノズルを空気取入れ口に装着して温風を送風すると、敷物類を簡易に乾燥することができるとともに、該温風が無光触媒を含有する上側シート地と接触して、敷物類に吸収された臭い成分を効率的に除去することができる。
【考案を実施するための最良の形態】
【００１０】
まず、本考案における「敷物類」とは、カーペット、ベッドパッド、敷布団など広く敷物一般を含む概念である。以下、図面を参照しつつ本考案を説明する。図１は、敷物類（カーペット）の一例について、各層の積層状態を破断線を用いて表示した外観斜視図であり、図２は、図１の一部拡大断面図である。
【００１１】
カーペットＡは、上側シート地１１を備えた上側積層体１と下側シート地２１を備えた下側積層体２が、上側シート地１１と下側シート地２１を重ね合わせて積層されている。上側積層体１は、上側シート地１１の上に上側中綿層１２及び表地１３が積層されており、下側積層体２は、下側シート地２１の上に下側中綿層２２及び裏地２３が積層されている。
【００１２】
上側シート地１１と下側シート地２１の縁部には、上側シート地１１と下側シート地２１の間に形成される中空部３に連通する空気取入れ口４が、該中空部３から出し入れ可能に突出形成されている。また、上側積層体１と下側積層体２は、積層された状態で、空気取入れ口４を除いて、縁部が全周にわたってヘム加工により縫合された封着周縁部５が形成されている。
【００１３】
上側シート地１１と下側シート地２１は、空気取入れ口４を除いて周縁が封着された構成とされており、空気取入れ口４を通じて外部から温風を取り入れ、該温風を各層へと送る送風袋としての機能を有する。このため、上側シート地１１と下側シート地２１は、ともに通気性を有することが必要とされ、例えば、木綿、ポリエステル、これらの混綿等からなる布地が用いられる。また、本考案では、敷物類に吸収された汗その他の臭い成分を分解除去できることが必要とされる。このため、上側シート地１１と下側シート地２１のうち、少なくとも上側シート地１１は無光触媒を含有させることが必要である。
【００１４】
無光触媒とは、光を必要とせずに臭い成分を分解・除去できる機能を有する触媒をいう。無光触媒機能を有する物質としては、例えば、特開２００２−３０８７１２号公報、特開２００４−１３０１９５号公報、特開２００４−１３０２３９号公報、特開２００６−３０５９１７号公報等に示されるように、リン酸チタニウム系化合物が挙げられる。リン酸チタニウム系化合物は、四塩化チタンと水もしくは炭素数１〜４のアルコール、またはこの混合物と反応させ、更にリン酸と反応させることにより得られる。更に分解性能や付着特性を改善するために、珪酸チタニウム系化合物や硼酸チタニウム系化合物などを添加したものも提案されている。上述した無光触媒を含有させた上側シート地１１（さらに、必要に応じて下側シート地２１）用いると、外部から取り込まれた温風中の酸素が無光触媒と反応して臭い成分を効率的に分解・除去することができる。
【００１５】
上側シート地１１（さらに、必要に応じて下側シート地２１）に無光触媒を含有させるには、例えば、リン酸チタニウム系化合物を含有する溶液を上側シート地１１などに塗布、噴霧、浸漬等した後、乾燥するようにすればよい。
【００１６】
上側中綿層１２及び下側中綿層２２の構成素材としては、クッションや布団に通常用いられるものであればよく、例えば、綿、混綿、化繊、羊毛、羽毛等を使用することができる。さらに、マイナスイオンによる種々の効果（例えば、抗菌・防臭作用など）を期待する場合には、上側中綿層１２と下側中綿層２２のうち、少なくとも上側中綿層１２にマイナスイオン発生物質を含有させることが好ましい。
【００１７】
マイナスイオン発生物質としては公知の物質が使用でき、例えば、ラジウム温泉鉱石、ゲルマニウム、トルマリン等を例示することができる。
【００１８】
表地１３は毛皮プレート１３ａの裏側に不織布１３ｂが積層された構成とされており、裏地２３は木綿、ポリエステル、これらの混綿等からなる布地が用いられる。
【００１９】
カーペットＡの製法としては、例えば、上側積層体１と下側積層体２を重ね合わせ、空気取入れ口４を除いて、縁部を全周にわたって縫合する方法、あるいは、まず上側シート地１１と下側シート地２１を重ね合わせ、空気取入れ口４を除いて、縁部を全周にわたって縫合した送風袋を作成し、次いで該送風袋の上下面に上側シート地１１と下側シート地２１以外の各層を重ね合わせ、空気取入れ口４を除いて、縁部を全周にわたって縫合する方法などが挙げられる。なお、上記の製法工程中、重ね合わせた各層をキルティングしておくと、使用中の型崩れを防止することができる。
【００２０】
上述したカーペットＡは、空気取入れ口４を中空部３に収納した状態にして、例えば、家屋のリビングなどに敷いてインテリアカーペットとして使用することができる。そして、カーペットＡを乾燥させるときには、中空部３から空気取入れ口４を取り出し、市販の布団乾燥機等の送風ノズルを該空気取入れ口４に装着して温風を送風するようにする。このとき、送風された温風は中空部３を通じてカーペットＡ内の各層に送風される。そして、５〜３０分程度送風すると、カーペットＡが乾燥するとともに、カーペットＡに吸収された汗などの臭い成分が上側シート地１１（さらに必要に応じて下側シート地２１）に含有されている無光触媒により分解除去される。
【００２１】
なお、上述した空気取入れ口４は、上側シート地１１と下側シート地２１の縁部を延出させて、両シート地１１，２１と一体に形成されているが、本考案はかかる実施形態に限定されるものではなく、例えば、両シート１１，２１とは別体で、市販の布団乾燥機等の送風ノズルとワンタッチで脱着可能な形状に成形した合成樹脂製の空気取入れ口を両シート１１，２１の間に挟んで突出形成するようにしてもよい。
【００２２】
以上、カーペットを一例として本考案を説明したが、本考案はカーペットに限定されるものではなく、図２の層構成のままで、あるいは図２の層構成を適宜変更することにより、他の敷物類にも適用することができる。図３は、本考案をベッドパットに適用した一例を示すものであり、図２の層構成に加えて、上側シート地１１と下側シート地２１の間に空隙を有する樹脂製のクッション材６を配設したものである。かかるクッション材６を配設することにより、人が寝た状態でも中空部３の容積がある程度確保できる。このため、第三者が空気取入れ口４を通じて温風をベッドパットＢ内に送風することにより、人が寝た状態でもベッドパットＢの乾燥及び消臭を簡易に行なうことができる。この点は、ベッドパットＢを介護用に用いる場合に特に有益である。
【００２３】
また、本考案は敷布団にも適用可能である。図４は、本考案を敷布団に適用した一例を示すものであり、敷布団Ｃは、図１の層構成のうち、表地１３を構成する毛皮プレート１３ａに代えて、木綿、ポリエステル、これらの混綿等からなる布地１３ｃを用いたものである。
【００２４】
以上説明したように、本考案の敷物類によれば、床等に敷いた状態で、温風を送風するだけで、敷物類の乾燥及び消臭を簡易に行なうことができる。
【図面の簡単な説明】
【００２５】
【図１】本考案に係る敷物類（カーペット）の一例について、各層の積層状態を破断線を用いて表示した外観斜視図である。
【図２】図１の一部拡大断面図である。
【図３】本考案に係る敷物類（ベッドパッド）の一例について、各層の積層状態を示す一部拡大断面図である。
【図４】本考案に係る敷物類（敷布団）の一例について、各層の積層状態を示す一部拡大断面図である。
【符号の説明】
【００２６】
Ａ  敷物類（カーペット）
Ｂ  敷物類（ベッドパット）
Ｃ  敷物類（敷布団）
１  上側積層体
１１  上側シート地
１２  上側中綿層
１３  表地
２  下側積層体  
２１  下側シート地
２２  下側中綿層
２３  裏地
３  中空部
４  空気取入れ口
５  封着周縁部
６  クッション材
【図１】
0003137418.tif 000003
【図２】
0003137418.tif 000004
【図３】
0003137418.tif 000005
【図４】
0003137418.tif 000006